(57)【特許請求の範囲】
【請求項１】
無線通信システムの送信ノード（５１０）により実行される方法（８００）であって、前記送信ノード（５１０）はマルチアンテナ送信が可能であり、前記方法（８００）は、
データを受信ノード（５２０）に送信する工程（８５０）と、
前記受信ノード（５２０）のジオメトリを決定する工程（８１０）と、
前記受信ノード（５２０）のジオメトリがジオメトリ閾値以上にあるかどうかを判断する工程（８２０）と、
複数の共通パイロット信号を前記受信ノード（５２０）に送信する工程（８６０）と、
１つ以上の復調パイロット信号を前記受信ノード（５２０）に送信する工程（８７０）とを有し、
前記複数の共通パイロット信号を前記受信ノード（５２０）に送信する工程（８６０）において、前記送信ノード（５１０）の１つのアンテナ（７３５）から各共通パイロット信号が送信され、２つ以上の共通パイロット信号を送信するためにはいずれのアンテナも用いられず、
前記１つ以上の復調パイロット信号を前記受信ノード（５２０）に送信する工程（８７０）において、各復調パイロット信号は前記送信ノード（５１０）の１つのアンテナ（７３５）を用いて送信され、２つ以上の復調パイロット信号を送信するためにはいずれのアンテナも用いられず、
前記１つ以上の復調パイロット信号を前記受信ノード（５２０）に送信する工程（８７０）において、前記受信ノード（５２０）の前記ジオメトリが前記ジオメトリ閾値以上にあると判断された場合、前記復調パイロット信号が送信されることを特徴とする方法。
【請求項２】
前記受信ノード（５２０）の前記ジオメトリを決定する工程（８１０）は、
フィードバックチャネルにより、前記受信ノード（５２０）からのフィードバックを受信する工程（９２０）と、
前記フィードバックに基づいて前記受信ノード（５２０）の前記ジオメトリを決定する工程（９３０）とを有し、
前記フィードバックは前記送信ノード（５１０）から送信される前記共通パイロット信号に基づいており、前記フィードバックは前記送信ノード（５１０）と前記受信ノード（５２０）との間の通信チャネルのチャネル状態情報を含むことを特徴とする請求項１に記載の方法。
【請求項３】
前記受信ノード（５２０）の前記ジオメトリを決定する工程（８１０）は、
前記受信ノード（５２０）から送信されるアップリンク信号を測定する工程（１０２０）と、
前記アップリンク信号の測定に基づいて、前記受信ノード（５２０）の前記ジオメトリを決定する工程（１０３０）とを有し、
前記受信ノード（５２０）における前記アップリンク信号の送信強度は、前記送信ノード（５１０）に知られていることを特徴とする請求項１に記載の方法。
【請求項４】
前記受信ノード（５２０）の前記ジオメトリが前記ジオメトリ閾値以上であると判断された場合、ダウンリンク制御チャネルにより前記受信ノード（５２０）に構成設定メッセージを送信する工程（８４０）をさらに有し、
前記構成設定メッセージは前記受信ノード（５２０）に前記共通パイロット信号と前記復調パイロット信号とを監視するよう通知することを特徴とする請求項１乃至３のいずれか１項に記載の方法。
【請求項５】
前記データを前記受信ノード（５２０）に送信する工程（８５０）において、前記受信ノード（５２０）に対してスケジュールされたデータ送信時間の間に、前記データは送信され、
前記１つ以上の復調パイロット信号を前記受信ノード（５２０）に送信する工程（８７０）において、前記データ送信時間の間に、各復調パイロット信号も送信されることを特徴とする請求項１乃至４のいずれか１項に記載の方法。
【請求項６】
前記複数の共通パイロット信号は１つ以上のレガシー共通パイロット信号と１つ以上の非レガシー共通パイロット信号とを含み、
各レガシー共通パイロット信号は、非レガシー受信ノードとレガシー受信ノードの両方に知られており、
各非レガシー共通パイロット信号は、前記非レガシー受信ノードに知られているが、前記レガシー受信ノードには知られていないことを特徴とする請求項１乃至５のいずれか１項に記載の方法。
【請求項７】
前記複数の共通パイロット信号を前記受信ノード（５２０）に送信する工程（８６０）において、各非レガシー共通パイロット信号よりも大きい電力で各レガシー共通パイロット信号は送信されることを特徴とする請求項６に記載の方法。
【請求項８】
前記１つ以上の復調パイロット信号を前記受信ノード（５２０）に送信する工程（８７０）において、前記非レガシー共通パイロット信号の１つを送信するために用いられるのと同じアンテナ（７３５）を用いて各復調パイロットは送信されることを特徴とする請求項６又は７に記載の方法。
【請求項９】
前記複数の共通パイロット信号は、プライマリ共通パイロット信号と、第１、第２、及び第３のセカンダリ共通パイロット信号とを有し、
前記複数の共通パイロット信号を送信する工程（８６０）は、
前記送信ノード（５１０）の第１のアンテナ（７３５）から前記プライマリ共通パイロット信号を送信する工程と、
前記送信ノード（５１０）の第２、第３、及び第４のアンテナ（７３５）から前記第１、第２、及び第３のセカンダリ共通パイロット信号をそれぞれ送信する工程とを有し、
前記１つ以上の復調パイロット信号は、第１及び第２の復調パイロット信号とを有し、
前記１つ以上の復調パイロット信号を送信する工程（８７０）は、
前記送信ノード（５１０）の前記第３、及び前記第４のアンテナ（７３５）から前記第１及び第２の復調パイロット信号をそれぞれ送信する工程とを有することを特徴とする請求項１乃至８のいずれか１項に記載の方法。
【請求項１０】
各復調パイロット信号は前記受信ノード（５２０）に対して具体的にプリコーディングされないことを特徴とする請求項１乃至９のいずれか１項に記載の方法。
【請求項１１】
無線通信システムの送信ノード（５１０）であって、前記送信ノード（５１０）はマルチアンテナ送信が可能であるように構成され、前記送信ノード（５１０）は、
データを受信ノード（５２０）に送信するよう構成されるコミュニケータ（６２０）と、
前記受信ノード（５２０）のジオメトリを決定し、前記受信ノード（５２０）のジオメトリがジオメトリ閾値以上にあるかどうかを判断するよう構成されるジオメトリ決定器（６４０）と、
パイロットプロバイダ（６３０）であって、
前記送信ノード（５１０）の１つのアンテナ（７３５）から各共通パイロット信号が送信され、２つ以上の共通パイロット信号を送信するためにはいずれのアンテナも用いられないように複数の共通パイロット信号を送信し、
各復調パイロット信号が前記送信ノード（５１０）の１つのアンテナ（７３５）を用いて送信され、２つ以上の復調パイロット信号を送信するためにはいずれのアンテナも用いられないようにして１つ以上の復調パイロット信号を送信し、
前記パイロットプロバイダ（６３０）は、前記受信ノード（５２０）の前記ジオメトリが前記ジオメトリ閾値以上にあると判断された場合、前記１つ以上の復調パイロット信号を送信するよう構成された前記パイロットプロバイダ（６３０）と、
を有することを特徴とする送信ノード。
【請求項１２】
フィードバックチャネルにより、前記受信ノード（５２０）からのフィードバックを受信するよう構成されたフィードバック特性決定器（６６０）をさらに有し、
前記フィードバックは前記送信ノード（５１０）から送信される前記共通パイロット信号に基づいており、前記フィードバックは前記送信ノード（５１０）と前記受信ノード（５２０）との間の通信チャネルのチャネル状態情報を含み、
前記ジオメトリ決定器（６４０）は前記フィードバックに基づいて前記受信ノード（５２０）の前記ジオメトリを決定するよう構成されることを特徴とする請求項１１に記載の送信ノード。
【請求項１３】
前記受信ノード（５２０）から送信されるアップリンク信号を測定するよう構成された信号測定器（６５０）をさらに有し、
前記受信ノード（５２０）における前記アップリンク信号の送信強度は、前記送信ノード（５１０）に知られており、
前記ジオメトリ決定器（６４０）は前記アップリンク信号の測定に基づいて、前記受信ノード（５２０）の前記ジオメトリを決定するよう構成されることを特徴とする請求項１１に記載の送信ノード。
【請求項１４】
前記コミュニケータ（６２０）は、前記ジオメトリ決定器（６４０）が前記受信ノード（５２０）の前記ジオメトリが前記ジオメトリ閾値以上であると判断した場合、ダウンリンク制御チャネルにより前記受信ノード（５２０）に構成設定メッセージを送信するよう構成されることを特徴とする請求項１１乃至１３のいずれか１項に記載の送信ノード。
【請求項１５】
前記コミュニケータ（６２０）は前記受信ノード（５２０）に対してスケジュールされたデータ送信時間の間に、前記データを送信するよう構成され、
前記パイロットプロバイダ（６３０）は前記データ送信時間の間に、各復調パイロット信号も送信するよう構成されることを特徴とする請求項１１乃至１４のいずれか１項に記載の送信ノード。
【請求項１６】
前記複数の共通パイロット信号は１つ以上のレガシー共通パイロット信号と１つ以上の非レガシー共通パイロット信号とを含み、
各レガシー共通パイロット信号は、非レガシー受信ノードとレガシー受信ノードの両方に知られており、
各非レガシー共通パイロット信号は、前記非レガシー受信ノードに知られているが、前記レガシー受信ノードには知られていないことを特徴とする請求項１１乃至１５のいずれか１項に記載の送信ノード。
【請求項１７】
前記パイロットプロバイダ（６３０）は各非レガシー共通パイロット信号よりも大きい電力で各レガシー共通パイロット信号を送信するよう構成されることを特徴とする請求項１６に記載の送信ノード。
【請求項１８】
前記パイロットプロバイダ（６３０）は前記非レガシー共通パイロット信号の１つを送信するために用いられるのと同じアンテナ（７３５）を用いて各復調パイロットを送信するよう構成されることを特徴とする請求項１６又は１７に記載の送信ノード。
【請求項１９】
前記複数の共通パイロット信号は、プライマリ共通パイロット信号と、第１、第２、及び第３のセカンダリ共通パイロット信号とを有し、
前記パイロットプロバイダ（６３０）は、前記送信ノード（５１０）の第１のアンテナ（７３５）から前記プライマリ共通パイロット信号を送信し、前記送信ノード（５１０）の第２、第３、及び第４のアンテナ（７３５）から前記第１、第２、及び第３のセカンダリ共通パイロット信号をそれぞれ送信するよう構成されることを特徴とする請求項１１乃至１８のいずれか１項に記載の送信ノード。
【請求項２０】
各復調パイロット信号は前記受信ノード（５２０）に対して具体的にプリコーディングされないことを特徴とする請求項１１乃至１９のいずれか１項に記載の送信ノード。
【請求項２１】
送信ノード（５１０）のコンピュータにより実行される際、前記コンピュータに請求項１乃至１０のいずれか１項に記載の方法を実行させるコンピュータプログラム。
【発明の詳細な説明】
【技術分野】
【０００１】
関連出願
本出願は、２０１２年５月１１日に出願された「マルチアンテナ無線通信システムにおける復調パイロットを送信する方法及び装置」という名称の米国特許仮出願第６１／６４６，０６６号の優先権を主張するものである。ここでに開示された主題の１つ以上の側面は２０１２年５月１１日に出願された「マルチアンテナ無線通信システムにおけるパイロット構成設定を検出する方法及び装置」という名称の米国特許仮出願第６１／６４６，１２９号に関係するものである。上記２つの出願の全内容は、参照により本明細書に組み込まれる。
【０００２】
技術分野
本開示の技術分野は一般には無線通信システムに関するものである。特に、本開示の技術分野はマルチアンテナ無線通信システムにおける復調パイロット信号の送信に関するものである。
【背景技術】
【０００３】
ＭＩＭＯ（多入力多出力）システムは無線通信システムの性能と通信容量とを高めることができる。ＭＩＭＯは多数の送信アンテナと多数の受信アンテナとを採用し、データ送受信効率を改善するもので、それ故に、マルチアンテナシステムとも呼ばれる。ＭＩＭＯ技術は空間多重化、送信ダイバーシチ、ビームフォーミングなどを含む。
【０００４】
空間多重化において、独立したシンボルのストリームは、基地局（例えば、ＢＴＳ、ｅノードＢ、ｅＮＢなど）のような送信ノードの異なるアンテナで同じ周波数バンド幅で送信される。これによりデータはシステムのバンド幅を増やすことなく高速に送信できる。送信ダイバーシチにおいて、同じデータが複数の送信アンテナから送信される。送信ノードにおいて時間−空間符号を用いることにより、例えば、ＵＥ（ユーザ機器）のような受信ノードにおいて検出されるシンボルの信頼性は送信ダイバーシチを利用することで高められる。ビームフォーミングは通常、複数のアンテナにおいてチャネル状態に従う重みの値を加えることにより信号のＳＩＮＲ（信号対干渉＋雑音の比）を良くするために用いられる。重みの値は重みベクトル又は重みマトリクスにより表現され、また、プリコーディングベクトル又はプリコーディングマトリクスとしても言及される。
【０００５】
３ＧＰＰ（第３世代パートナーシッププロジェクト）ＬＴＥ（ロングタームエボルーション）、ＵＭＴＳ（全球移動体通信システム）、ＨＳＤＰＡ（高速ダウンリンクパケットアクセス）、及びＷｉＭＡＸ（世界規模で相互接続可能なマイクロ波アクセス）システムのような実用化された無線システムにおいて、送信ノードと受信ノードとの間の１つ以上のチャネルについての知識がその性能を向上させるのに用いられる。チャネルについての知識は受信ノードから送信ノードへのフィードバックを介して送信ノードで利用可能にされる。ＭＩＭＯ送信ノードはこのチャネルについての知識を利用してプリコーディングの助けを借りてシステム性能を向上させることができる。ビームフォーミング利得に加えて、プリコーディングを使用すると、悪い条件でのチャネルマトリクスに係る問題を避けることができる。
【０００６】
上記したような無線システムにおいて、プリコーディングとビームフォーミングとの内の少なくともいずれかの技術を用いた複数のアンテナがデータを高速に複数のＵＥに提供するのに適合される。これらのシステムでは、基地局は複数のＵＥにより前もって知られた１つ以上の所定の信号を送信する。これら知られた信号はしばしばパイロット信号として（例えば、ＵＭＴＳにおいて）或いは基準信号（例えば、ＬＴＥにおいて）言及される。これらのパイロット信号はＯＦＤＭ（直交周波数分割多重）の時間−周波数グリッドにおいて所定の位置に挿入され、この信号によりＵＥがダウンリンクチャネル推定を行ってコヒーレントなチャネル復調を実行することを可能にしている。説明を簡単にするために、そのような知られた信号はパイロット信号として、又は、単にパイロットとして言及される。
【０００７】
基地局により送信されたパイロットに対するＭＩＭＯの別の機能は、ＵＥがそのパイロットを検出し、その基地局に検出されたパイロットに基づくＣＳＩ（チャネル状態情報）の推定をフィードバックすることである。ＣＳＩは、送信ノードから受信ノードに信号がどのように伝播するのかを記述する通信リンクの知られたチャネル特性に言及するものであり、例えば、距離に関する散乱、フェーディング、電力減衰が組み合わされた効果を表現している。ＣＳＩ推定に基づいて、基地局はマルチアンテナシステムにおける高速データ伝送速度での信頼性のある通信にとって重要な現在のチャネル状態にダウンリンク送信を適合させることができる。基地局とＵＥとの間の各ＭＩＭＯチャネルはそれ自身のＣＳＩ推定を必要としている。
【０００８】
実際上、完全なＣＳＩを、例えば、ＦＤＤ（周波数分割複信）システムについて取得することは難しいかもしれない。そのようなシステムでは、ある種のＣＳＩについての知識が受信ノードからのフィードバックを介して送信モードでは利用可能であるかもしれない。これらのシステムは限定的フィードバックシステムと呼ばれている。コードブックに基づくフィードバックや量子化チャネルフィードバックのような限定的なフィードバックシステムについては多くの実施形がある。３ＧＰＰ  ＬＴＥ、ＨＳＤＰＡ、ＷｉＭＡＸはプリコーディングのためにコードブックに基づくフィードバックＣＳＩを推奨している。
【０００９】
コードブックに基づくプリコーディングでは、予め定義されたコードブックが送信ノードと受信ノードの両方で定義される。そのコードブックのエントリは、グラスマニアン（Grassmannian）、ロイド（Lyod）アルゴリズム、ＤＦＴマトリクスなどのような異なる方法を用いて構築される。プリコーディングのマトリクスはしばしば、ＮR×ＮT  ＭＩＭＯチャネルマトリクスＨの特性にマッチするように選択され、所謂チャネル依存のプリコーディングを行う結果になる（ここで、ＮRは受信ノードにおける受信アンテナの数であり、ＮTは送信ノードにおける送信アンテナの数である）。これはまた一般にはクローズドループ・プリコーディングとしても言及され、本質的には送信エネルギーを、その送信エネルギーの多くをＵＥに搬送するという意味において強度の高い信号のサブスペースに集中させることに努力を払うものである。この文脈における信号のサブスペースとは、空間、時間、周波数、符号などを含む任意の数の次元において定義される信号空間のサブスペースである。
【００１０】
さらに、プリコーディングのマトリクスはまた、チャネルを直交化することに努力を払うために選択され、これは、ＵＥにおける適切な線形等化の後、レイヤ間の干渉が低減されることを意味する。受信ノードでは、異なるコードブックエントリでＳＩＮＲを見い出し、最大のスペクトラム効率（チャネル容量とも呼ばれる）を提供するランクとプリコーディングのインデックスとの内の少なくともいずれかを選択するのが一般的である。この文脈では、ランクは送信ノードから受信ノードに同時に送信可能なデータストリームの数を示す。
【００１１】
クローズドループＭＩＭＯシステムの性能は一般には、コードブックセットの濃度（サイズ）ともに改善する。受信ノードでは、ＲＩ（ランク情報）とＰＣＩ（プリコーディング制御インデックス）が、ＴＴＩ（送信時間間隔）毎又はＴＴＩの倍数（例えば、ＬＴＥでは５、ＨＳＤＰＡでは１／３）毎に送信ノードへ返信される。
【００１２】
現存するＵＭＴＳ、ＬＴＥ、及び他のシステム（例えば、ＷｉＭＡＸ、８０２．１１（ｎ）など）は、最大で２×２のＭＩＭＯ送信（最大ＮR＝２、最大ＮT＝２）をサポートする。これは、基地局が２つのチャネルパイロットを取得して、２つの空間レイヤ夫々を推定して特徴付けしなければならないことを意味している。４×４のＭＩＭＯ送信をサポートするためには、４つの空間レイヤ夫々を推定して特徴付けするために基地局は４つのチャネルパイロットを取得しなければならない。現存する又はレガシーのＬＴＥシステムと比較すると、２つの新しいＭＩＭＯチャネルに対してチャネル復調とＣＳＩ推定とを実行するために、２つの新しいパイロットが定義されねばならない。
【００１３】
パイロットは２つの主要な機能性、即ち、ランク、ＣＱＩ（チャネル品質情報）、ＰＣＩが推定される場合、チャネルサウンディングを通じたＣＳＩ推定と、復調のためのチャネル推定とを可能にする。４ブランチＭＩＭＯ（４Ｔx ＭＩＭＯとしても言及される）に関し、ｅノードＢは４つの共通パイロットを送信することができる。この明細書の文脈では、“共通”パイロットは、全てのＵＥで利用可能とされ、ＵＥ固有のビームフォーミングを用いることなく送信されるパイロット信号に言及するものである。
【００１４】
共通パイロットは、４Ｔｘ送信を復調できないレガシー（例えば、２×２ＭＩＭＯ）ＵＥ（リリース７  ＭＩＭＯとリリース９９）がスケジュールされるインスタンスで送信される。これらのレガシーＵＥでは第３と第４の共通パイロットにおけるエネルギーを利用することができない。また、第３と第４の共通パイロットで利用可能なエネルギーは、レガシーＵＥにスケジュールするＨＳ−ＰＤＳＣＨ（高速物理ダウンリンク共通チャネル）に対して利用可能なエネルギー量を削減してしまう。さらにその上、第３と第４の共通パイロットは、最大で第１と第２の共通パイロットを利用可能なレガシーＵＥに対する干渉の原因ともなり得る。それ故に、非レガシー（４Ｔｘ）ＵＥの性能への影響を最小限にするために、少なくとも第３と第４の共通パイロットの電力が低い値に低減されることが望ましい。しかしながら、第３と第４の共通パイロットの電力を低減することは非レガシーＵＥの性能に対しては悪い影響を与える。
【発明の概要】
【００１５】
開示される主題の非限定的な特徴は無線通信システムの送信ノードにより実行される方法に関する。その送信ノードはマルチアンテナ送信が可能である。その送信ノードが実行する方法は、データを受信ノードに送信する工程と、複数の共通パイロット信号を前記受信ノードに送信する工程と、１つ以上の復調パイロット信号を前記受信ノードに送信する工程とを含むと良い。各共通パイロット信号は前記送信ノードの１つのアンテナから送信され、その送信ノードにおいて、２つ以上の共通パイロット信号を送信するためにアンテナが用いられないようにすると良い。各復調パイロット信号は前記送信ノードの１つのアンテナを用いて送信され、またその送信ノードにおいて、２つ以上の復調パイロット信号を送信するためにアンテナが用いられないようにすると良い。
【００１６】
開示される主題の別の非限定的な特徴は、その中にプログラム命令を含むコンピュータ可読媒体に関する。コンピュータがそのプログラム命令を実行する際、そのコンピュータは送信ノードにおいて実行される方法を実行して、上述のように、マルチアンテナ送信を実行する。
【００１７】
開示される主題のさらに別の非限定的な特徴は、無線通信システムの送信ノードに関する。その送信ノードはマルチアンテナ送信が可能であり、コミュニケータとパイロットプロバイダとを有すると良い。そのコミュニケータは、データを受信ノードに送信するよう構成されると良い。パイロットプロバイダは、前記送信ノードの１つのアンテナから各共通パイロット信号が送信され、その送信ノードにおいて２つ以上の共通パイロット信号を送信するためにアンテナが使用されないように複数の共通パイロット信号を受信ノードに送信するよう構成されると良い。また、パイロットプロバイダは、各復調パイロット信号が前記送信ノードの１つのアンテナを用いて送信され、その送信ノードでは２つ以上の復調パイロット信号を送信するためにアンテナが使用されないように１つ以上の復調パイロット信号を受信ノードに送信するよう構成されると良い。
【００１８】
開示された主題の前述した目的、特徴、及び利点などは、次に示す添付図面に例示した好適な実施例の特定の説明から明らかにあるであろう。その図面において、参照記号は種々の図面を通じて同じ部分に言及しており、その図面は必ずしも同様に縮尺されているものではない。
【図面の簡単な説明】
【００１９】
【図１】異なるパイロット電力が異なるパイロット信号に用いられる場合、４×４のＭＩＭＯ能力を備えたＵＥのリンクレベルでの性能をグラフで示す図である。
【図２】異なるパイロット電力が異なるパイロット信号に用いられる場合、４×２のＭＩＭＯ能力を備えたＵＥのリンクレベルでの性能をグラフで示す図である。
【図３】共通パイロットの設計システムの例を概念的に示す図である。
【図４】共通及び復調パイロットの設計システムの例を概念的に示す図である。
【図５】送信ノードと受信ノードとの間で交換されるメッセージの例を示す図である。
【図６】、
【図７】マルチアンテナ送信を実行するよう構成された無線ネットワークの送信ノードの実施例を示す図である。
【図８】マルチアンテナ送信のための送信ノードにより実行される方法の例を示すフローチャートである。
【図９】、
【図１０】受信ノードのジオメトリを決定するために送信ノードにより実行される処理の例を示すフローチャートである。
【図１１】多数の受信ノードへのマルチアンテナ送信のための送信ノードにより実行される方法の例を示すフローチャートである。
【発明を実施するための形態】
【００２０】
限定的ではなく説明の目的のために、特定のアーキテクチュア、インタフェース、技術などのような具体的な詳細が説明される。しかしながら、ここで説明する技術がこれら具体的な詳細から逸脱した他の実施例において実施されても良いことは当業者には明らかである。即ち、当業者であれば、ここで明示的に説明されたり示されてはいないが、説明される技術の原理を実施する他の種々の構成を考え出すことができるであろう。
【００２１】
他のインスタンスにおいては、公知のデバイス、回路、方法の詳細な説明は不必要な詳細な説明により本発明の説明をあいまいなものにしないように省略されている。ここで、原理、特徴の側面、実施形態、及び例を述べる全ての陳述は、構造的同等物と機能的同等物の両方を包含するものであることが意図されている。さらに、そのような同等物は、現在知られている同等物とともに将来開発されえる同等物、即ち、構造が何であるかに係らず、同じ機能を実行するように開発されるどんな要素をも含むことが意図されている。
【００２２】
従って、例えば、ここで示すブロック図は、その技術の原理を実施する例示的な回路の概念図を表現するものであることを認識されよう。同様に、フローチャート、状態遷移図、擬似コードなどは、コンピュータやプロセッサが明示的に示されていようとそうでなかろうと、コンピュータ可読媒体において実質的に表現され、そのようなコンピュータやプロセッサにより実行される種々の処理を表現するものであることが認識されよう。
【００２３】
“複数のプロセッサ”や“複数のコントローラ”としてラベルが付されたり説明される機能的ブロックを含む種々の要素の機能は、専用ハードウェアによっても、また、関係するソフトウェアを実行可能なハードウェアによっても備えられる。プロセッサにより備えられる場合、それらの機能は、単一の専用プロセッサにより、単一の共用プロセッサにより、また、一部が共用されても分散されても良い複数の個別的なプロセッサにより、備えられる。
【００２４】
当業者であれば説明される機能がハードウェア回路（例えば、専用の機能を実行するために相互接続されたアナログ及び／又はディスクリートな論理ゲート、ＡＳＩＣ、ＰＬＡなど）を用いるか、或いは、１つ以上のデジタルマイクロプロセッサ又は汎用コンピュータと関係してソフトウェアとデータを用いるかの内、少なくともいずれかを用いた１つ以上のノードにおいて実施されることを認識するであろう。エアインタフェースを用いて通信を行うノードはまた、適切な無線通信回路を備える。さらにその上、その技術は、プロセッサにここで説明する技術を実行させるコンピュータ命令の適切なセットを含む半導体メモリ、磁気ディスク、又は、光学ディスクのような何らかの形のコンピュータ可読メモリの内に完全に実施されると考えられる。
【００２５】
ハードウェアの実施形は、限定的ではなく、デジタル信号プロセッサ（ＤＳＰ）のハードウェア、縮小命令セットプロセッサ、アプリケーション専用集積回路（ＡＳＩＣ）とフィールドプログラマブルゲートアレイ（ＦＰＧＡ）との内の少なくともいずれに限定されるものではないがこれらを含むハードウェア（例えば、デジタル又はアナログ）回路、及び（適切である場合には）そのような機能を実行可能なステートマシンを含むか、包含しても良い。
【００２６】
コンピュータ実施形の観点からすると、コンピュータは一般的には、１つ以上のプロセッサ又は１つのコントローラを含むことを理解されるべきであり、コンピュータ、プロセッサ、コントローラという用語は相互交換可能に用いられる。コンピュータ、プロセッサ、又は、コントローラが備えられる場合、その機能は、単一の専用コンピュータ又はプロセッサ又はコントローラにより、単一の共用コンピュータ又はプロセッサ又はコントローラにより、また、一部が共用されても分散されても良い複数の個別的なコンピュータ又はプロセッサ又はコントローラにより、備えられる。さらにその上、“プロセッサ”又は“コントローラ”という用語はまた、そのような機能を実行することやソフトウェアを実行することとの内、少なくともいずれかが可能な、上述した例のハードウェアのような他のハードウェアにも言及するものである。
【００２７】
セルは基地局に関係し、基地局は一般的な意味ではダウンリンク（ＤＬ）で無線信号を送信することとアップリンク（ＵＬ）で無線信号を受信することとの内、少なくともいずれかを行う何らかのノードを含む。上述のように、基地局の例は、ノードＢ、ｅノードＢ、ｅＮＢ、マクロ／マイクロ／ピコ無線基地局、ホームｅノードＢ、中継局、リピータ、センサ、送信専用無線ノード、又は、受信専用無線ノードである。基地局は、１つ以上の周波数、搬送周波数、又は、周波数バンドにおいて動作するか、少なくとも測定を実行することができ、キャリアアグリゲーションが可能であっても良い。また、それは、単一の無線アクセス技術（ＲＡＴ）を用いても良いし、又は、マルチＲＡＴでも良いし、例えば、異なるＲＡＴに対して同じ或いは異なるベースバンドモジュールを用いたマルチ標準ノードであっても良い。
【００２８】
この説明はＵＥに対して与えられるものであるが、“ＵＥ”とは無線インタフェースを備え、ＵＬで信号を送信することと、ＤＬで信号を受信するか測定するかの内の少なくともいずれかを行うこととの内の少なくとも１つを行うことが可能な何らかの無線デバイスやノードを含む非限定的な用語であることを当業者であれば理解すべきである。一般的な意味でＵＥのいくつかの例とは、ＰＤＡ、ラップトップ、移動体電話、センサ、固定中継器、無線ネットワークノード（例えば、ＬＭＵやフェムト基地局や端末技術を用いた小型基地局）である。ここで、ＵＥは１つ以上の周波数、搬送周波数、コンポーネント搬送波、又は周波数バンドにおいて動作するか、少なくとも測定を実行可能なＵＥを（一般的な意味で）含む。それは、単一ＲＡＴで、又は、マルチＲＡＴで、又は、マルチ標準モードで動作するＵＥであると良い（例えば、デュアルモードＵＥはＷｉＦｉとＬＴＥのいずれか１つ又はその組み合わせで動作することができる）。
【００２９】
説明されるシグナリングは、ダイレクトリンクを介したものでも良いし、又は論理リンクを介したものでも良い（例えば、より上位のレイヤのプロトコルを介したものと、１つ以上のネットワークノードを介したものとの内の少なくともいずれかを介したもので良い）。例えば、調整を行うノードからのシグナリングは別のネットワークノード、例えば、無線ノードを通過しても良い。ここで説明する実施例は独立した実施例として考慮されても良いし、又は、非限定的な例を説明するために互いに組み合わせたものとして考慮されても良い。
【００３０】
この明細書では、３ＧＰＰの用語、例えば、ＨＳＤＰＡ、ＷＣＤＭＡ、ＬＴＥ、ＬＴＥ−Ａなどが説明目的のために例として用いられる。なお、ここで説明される技術は、３ＧＧＰ標準化技術ではないもの、例えば、ＷｉＭＡＸ、ＵＭＢ、ＧＳＭ、ｃｄｍａ２０００、１ｘＥＶＤＯ、無線ＬＡＮ、ＷｉＦｉなどにも適用可能である。従って、この開示の範囲は３ＧＰＰ無線ネットワークシステムの集合に限定されるものではなく、無線通信システムの多くの領域を包含することができる。無線端末（例えば、ＵＥ、ラップトップ、ＰＤＡ、スマートフォン、移動体端末など）は、説明される方法が実行される受信ノードの例として用いられる。即ち、その説明は一般にはダウンリンク送信に焦点を当てている。しかしながら、本願の主題は、基地局（例えば、ＲＢＳ、ノードＢ、ｅノードＢ、ｅＮＢなど）と無線信号を受信する中継局とを含むネットワークのいずれのノードにも適用可能である。
【００３１】
上述のように、多くの現存するシステムはたいてい、最大で２×２のＭＩＭＯ送信（便宜上、“レガシー”という）をサポートする。レガシーの装置をサポートするために、２つの共通パイロット−第１と第２のパイロットが定義される。４×４のＭＩＭＯ送信（便宜上、“非レガシー”という）をサポートするためには、２つの新しいパイロット−第３と第４のパイロット信号が定義され、付加された新しいＭＩＭＯチャネルに対してチャネル復調とＣＳＩ推定とを実行する。第３と第４のパイロット信号はまた、それらの信号が全てのＵＥに対して利用可能とされるために、共通である。
【００３２】
さらに検討を進める前に、“レガシー”及び“非レガシー”という用語が２×２と４×４ＭＩＭＯのみに言及するために限定されるととらえるべきではないことに留意されたい。むしろ、これらの用語は相対的な意味でとらえられるべきである。例えば、４×４ＭＩＭＯの装置は、８×８ＭＩＭＯの装置に関してはレガシーの装置であろう。この事例では、８×８ＭＩＭＯの送信ノードは８つの共通パイロットを送信する。これらの内の４つは４×４ＭＩＭＯの受信ノードでは理解されるかもしれないが、残りの４つは理解されないかもしれない。従って、レガシー装置と非レガシー装置との間の１つの区別（複数の区別もあり得るが）は、レガシー装置により知られる共通パイロットの全ては非レガシー装置によっても知られることである。しかしながら、その反対はない。即ち、非レガシー装置によって知られるが、レガシー装置によっては知られない少なくとも１つの共通パイロットがある。説明される概念は、２×２又は４×４以外の複数のレベルのＭＩＭＯ能力を備えた装置があるという環境にも適用可能であることは明らかである。
【００３３】
しかしながら、説明目的のために、以下の説明では２×２と４×４のＭＩＭＯの例を用いる。それらは、便宜上、“レガシー”と“非レガシー”として夫々言及される。上述のように、レガシーＵＥに対して、第３と第４の共通パイロットは望ましくないものである。第一に、第３と第４の共通パイロットで利用可能とされるエネルギーでレガシーＵＥに対してスケジュールするＨＳ−ＰＤＳＣＨに対して利用可能なエネルギー量を少なくしてしまう。第二に、第３と第４の共通パイロットは、最大でも第１と第２の共通パイロットを利用するレガシーＵＥに対する干渉の原因となる。それ故に、レガシーＵＥの性能に対する影響を最小限にするために、第３と第４の共通パイロットの電力は低減されることが望ましい。それ故に、第１と第２の共通パイロットは相対的に高電力（例えば、それぞれ−１０ｄＢ、−１３ｄＢ）で送信されると良く、第３と第４の共通パイロットは相対的に低電力（例えば、−２２ｄＢ）で送信されると良い。
【００３４】
しかしながら、もし第３と第４の共通パイロットの電力が最小であると、非レガシーＵＥの復調性能に悪い影響がある。このことは図１と図２とに例証されている。図１は、４×４のＭＩＭＯシステムに関し、３つの異なるジオメトリをもつ非レガシーＵＥについての第３と第４のパイロット信号についてパイロット電力の関数としてリンクレベル性能の例を図示している。図２は、４×２のＭＩＭＯシステムに関し、第３と第４のパイロット信号についてパイロット電力の関数としてリンクレベル性能の例を図示している。両方の図において、２０ｄＢのようにジオメトリがより大きくなるとＵＥが存在する環境は相対的にクリーンである（高いＣＩＲ（搬送波対干渉の比）、高いＳＩＮＲ、高いＳＩＲなど）ことを示し、０ｄＢのようにジオメトリがより小さくなるとＵＥは相対的にダーティ又は雑音の多い環境にいることを示している。これらの図において、第１と第２のパイロット信号に対するパイロット電力はそれぞれ、−１０ｄＢと−１３ｄＢに維持されると仮定する。
【００３５】
第３と第４のパイロット電力が低減されるにつれ、非レガシーＵＥの性能は低下することが観察される。その低下は高いジオメトリ（例えば、２０ｄＢ）で深刻である。これは、高いジオメトリでは、ランク３とランク４の送信の確率が高いことと高いデータ送信速度との内のいずれかが存在し、より大きな量のパイロット電力エネルギーを必要とするためである。これに対して、低いジオメトリ（例えば、０ｄＢ）で発生する低いデータ送信速度と低いランク選択（例えば、ランク１と２）との内の少なくともいずれかではパイロットエネルギーがより少ない量でも復調がなされる。
【００３６】
通常、各共通パイロット信号は送信ノードの対応するアンテナ又はアンテナポートにおいて送信される。説明を簡単に短くするために、“アンテナ”と記載する。従って、４Ｔｘ送信ノードでは、第１の、第２の、第３の、第４の共通パイロット信号を、対応する第１の、第２の、第３の、第４のアンテナで送信できる。もし、第３と第４の共通パイロット信号が低電力に維持され、レガシーＵＥに対する悪影響を最小限にするなら、第３と第４のアンテナから送信されるパイロット電力が小さいものであることが示唆される。
【００３７】
図１と図２に示されているように、非レガシーＵＥが低速のデータ送信速度と低いランクとの内の少なくともいずれかの状態で復調を行おうとするとき、第３と第４のパイロット電力を大きくすることは性能に対する影響を無視できる程度である。従って、第３と第４のアンテナのパイロット電力を低く維持することは受け入れられるものである。全くのところ、第３の第４のアンテナの低いパイロット電力は実際には、レガシーＵＥへの悪影響が最小化されるので実際に好ましい。
【００３８】
しかしながら、図１と図２に示されているように、非レガシーＵＥが高いランクで高速のデータ送信速度で復調を行おうとするとき、第３と第４のパイロット電力を大きくすることは性能に対して顕著な良い影響を与える。この事象では、第３と第４のアンテナの内の少なくともいずれかからの送信されるパイロット電力を大きくすることが望ましい。
【００３９】
開示される主題の１つ以上の側面において、高電力パイロットに利点／不利な点があるとき、送信ノードはアンテナのパイロット電力を増加／減少させることが提案される。実施例において、その送信ノード（例えば、無線ネットワークノード）は受信ノード（例えば、無線端末）のジオメトリを決定する。もし、そのジオメトリが高いものであれば、その送信ノードは共通パイロット信号と復調パイロット信号の両方を送信することができる。復調パイロット信号の１つの効果は、アンテナのパイロット電力を増加させることである。
【００４０】
共通パイロットと復調パイロットとは受信ノードで用いられて送信ノードと受信ノードとの間のデータ復調に関するチャネル推定を行う。もし、そのジオメトリが低いものであれば、送信ノードは復調パイロットを保留し、共通パイロットのみを送信し、受信ノードは共通パイロットのみに基づいて復調のためのチャネル推定を行う。
【００４１】
複数の無線端末、即ち、受信ノードがセルに存在する場合、送信ノードはそのセルにおける複数の受信ノードのジオメトリを決定することができ、共通パイロットと復調パイロットの両方を送信するか、又は、共通パイロットのみを送信するかを、複数のジオメトリに基づいて決定することができる。そのセルにおける全ての受信ノードのジオメトリを決定することが可能である。しかしながら、これは要求ではない−受信ノードのサブセット（必ずしも全てである必要はない）のジオメトリが決定されても良い。例えば、特定の時間フレーム（例えば、ＴＴＩ）においてデータを受信するようにスケジュールされた受信ノードのジオメトリが決定されても良い。
【００４２】
パイロット信号は２つの主要な機能性−チャネルサウンディングを通じたＣＳＩ推定と復調のためのチャネル推定とを可能にすることを思い出して頂きたい。パイロット設計方式（例えば、４ブランチＭＩＭＯ）は、
・ＣＳＩ推定とデータ復調のための共通パイロットと、
・ＣＳＩ推定のための共通パイロットとデータ復調のための復調パイロットと
に分割できる。
【００４３】
図３は共通パイロット設計のシステムの例を概念的に図示し、図４は共通及び復調パイロット設計のシステムの例を概念的に図示している。両方の図において、送信器Ｔｘは無線ネットワークノード（例えば、無線基地局（ＲＢＳ）、ｅＮＢ、ｅノードＢ、ノードＢ、中継局、マイクロ／フェムト／ピコ基地局など）の送信器であると仮定され、受信器Ｒｘは無線端末（例えば、移動体端末、ＵＥなど）の受信器であると仮定される。図３と図４のシナリオはダウンリンク送信のシナリオであることが仮定される一方、説明される概念の一部又は全てはアップリンク送信にも適用可能であることに留意されたい。全くのところ、それらはピアノード間の送信にも適用可能である。
【００４４】
図３と図４とに示されているように、無線ネットワークノードは知られたパイロットシンボル−共通パイロットシンボル−をチャネル推定とチャネルサウンディングのために送信する。例えば、無線ネットワークノードが４×４のＭＩＭＯ送信ノードであることを仮定すると、送信器Ｔｘは第１、第２、第３、第４の共通パイロットシンボルを、第１、第２、第３、第４のアンテナからそれぞれ送信する。実施例では、第３と第４の共通パイロットシンボルの送信は第１と第２の共通パイロットシンボルの送信と比較して相対的に低い電力でなされる。
【００４５】
無線端末はチャネルサウンディングからチャネル品質（通常はＳＩＮＲ）を推定し、次のダウンリンク送信に関して好適なプリコーディングのマトリクスとＣＱＩとを含むＣＳＩを推定する。その無線端末はフィードバックチャネルを介して無線ネットワークノードにＣＳＩ推定を搬送することができる。
【００４６】
無線ネットワークノードは無線端末からのフィードバック情報を処理し、プリコーディングのマトリクス、変調、符号化速度、ランク指示、トランスポートブロックサイズのような他のパラメータなどを決定する。無線ネットワークノードはこの情報をダウンリンク制御チャネルを介して無線端末に搬送する。無線ネットワークノードはそれから、そのダウンリンク制御チャネルで指示された変調と符号化速度でデータを無線端末に送信する。無線ネットワークノードは、データをアンテナに受け渡す前に、プリコーディングのベクトル／マトリクスによって前もってそのデータを乗算する。
【００４７】
データ復調に関するチャネル推定は２つの設計では異なる。共通パイロットだけの設計では、無線端末は共通パイロットシンボルからデータ復調のためのチャネル推定を行う。なお、図３において、Ｒｘ側のチャネル推定器は入力として共通パイロットのみを受信する。しかしながら、共通パイロットと復調パイロットの設計では、復調パイロットも用いられてデータ復調のためのチャネル推定をおこなうことができる。図４では、このことが入力として共通パイロットと復調パイロットとの両方を受信するチャネル推定器により示されている。共通パイロットと復調パイロットの設計では共通パイロットに加えて、復調パイロットが用いられるので、復調パイロットはしばしば“付加的”パイロットとして言及される。
【００４８】
ある側面からすれば、マルチアンテナ能力を備えた送信ノードは、受信ノードに復調パイロットを提供することに価値があるかどうかを判断する。マルチアンテナ無線ネットワーク５００の２つのノード−送信ノード５１０と受信ノード５２０−との間で交換されるメッセージＭ１〜Ｍ１０の例が図５に示されている。ダウンリンクにおいて、送信ノード５１０は無線ネットワークノード（例えば、無線基地局（ＲＢＳ）、ｅＮＢ、ｅノードＢ、ノードＢ、中継局、マイクロ／フェムト／ピコ基地局など）であり、受信ノード５２０は無線端末（例えば、移動体端末、ＵＥなど）の受信器である。再び、通信の方向は限定とみなされるべきではない。
【００４９】
１つのシナリオにおいて、これらのメッセージは通常の呼設定の間に送信ノード５１０としての無線ネットワークノード（例えば、ｅノードＢ）と受信ノード５２０としての無線端末（例えば、ＵＥ）との間で交換される。無線ネットワークノード５１０は複数の共通パイロットを無線端末５２０に送信する（Ｍ１）。実施例では、無線ネットワーク５１０は共通パイロットチャネル（例えば、Ｐ−ＣＰＩＣＨ、Ｓ−ＣＰＩＣＨ）で共通パイロットシンボルを送信する。
【００５０】
共通パイロットシンボルから、無線端末５２０はチャネル推定を行い、チャネル品質、プリコーディングチャネルインジケータなどのようなＣＳＩを計算する。無線端末５２０は無線ネットワークノード５１０に対してハイブリッドＡＲＱ  ＡＣＫ／ＮＡＫとともにＣＳＩをレポートする（Ｍ２）。実施例では、フィードバックがフィードバックチャネルで提供される。例えば、一度、無線端末５２０がＲＩ（ランク指示）と対応するＰＣＩについて決定するなら、その情報はフィードバックチャネル（例えば、ＨＳ−ＤＰＣＣＨ）を介して無線ネットワークノード５１０に送信される。ＨＳ−ＤＰＣＣＨの周期は通常、１サブフレーム（２ミリ秒）である。
【００５１】
フィードバック情報受信時、無線ネットワークノード５１０はランク、変調、トランスポートブロックサイズ、データトラフィックに対するＰＣＩを決定する。この情報は無線端末５２０に対して搬送される。実施例では、その制御情報はダウンリンク制御チャネル（例えば、ＨＳ−ＳＣＣＨ）により送信される構成設定メッセージに含まれる（Ｍ３）。その制御チャネルで送信される構成設定メッセージは、無線端末５２０のためにリザーブされたダウンリンク資源（時間、周波数、データトラフィックチャネル（例えば、ＨＳ−ＰＤＳＣＨ）の符号のいずれかの組み合わせ）を特定するスケジューリング情報を含むと良い。その構成設定メッセージは無線端末５２０に−明示的に又は暗示的に−データ復調のために共通パイロットと復調パイロットの両方を監視すべきか、又は、共通パイロットのみを監視すべきかを通知するために働く。この特定の例では、無線ネットワークノード５１０は両方が監視されるべきであると決定すると仮定する。
【００５２】
構成設定メッセージを送信後、無線ネットワークノード５１０はデータを無線端末５２０のためにスケジュールされたデータ送信時間の間にデータトラフィックチャネルで無線端末５２０に送信する（Ｍ４）。データ送信時間の間、復調パイロットが共通パイロットとともに提供されるべきであると判断された場合、無線ネットワークノード５１０はまた復調パイロットも送信する。なお、復調パイロット送信のタイミングはデータ送信時間と厳密に一致している必要はない。復調パイロットは無線端末５２０による監視のために十分なデータ送信時間の少なくともある部分に存在していることが必要なだけである。
【００５３】
その処理は繰り返すことができる。例えば、見られるように、無線端末５２０は再び、Ｍ４で受信した共通パイロットに基づいてチャネル推定を行い、Ｍ５でそのフィードバックを提供することができる。そのフィードバックは共通パイロットだけに基づいていても良い。その代わりに、復調パイロットも利用可能であるので、無線端末５２０は無線ネットワークノード５１０にフィードバックを提供するとき、共通パイロットに加えて復調パイロットに基づくチャネル推定を行うことができる。Ｍ５におけるフィードバックが無線端末５２０がクリーンな環境に留まっていることを示すなら、送信ノード５１０はＭ６において無線端末５２０にそのように通知を行い、Ｍ７において共通パイロットと復調パイロットとの両方を提供する。しかしながら、次の反復の間に、Ｍ８におけるフィードバックが無線端末５２０は今や相対的にダーティな環境にある（例えば、無線端末５２０が物理的に移動し、他の端末が無線端末５２０の近傍に位置したかもしれないなど）ことを示すなら、送信ノード５１０は次のデータ送信のために共通パイロットのみを提供する（Ｍ９とＭ１０）。
【００５４】
ある側面からすれば、無線ネットワークノード５１０は常に共通パイロットを送信する（Ｍ１、Ｍ４、Ｍ７、Ｍ１０）。例えば、４×４のＭＩＭＯを実装するＬＴＥでは、ｅノードＢは４つの共通パイロットを送信、つまり、各アンテナから１つを送信する。第１と第２の共通パイロット（例えば、それぞれがプライマリ、第１のセカンダリ共通パイロットとしても言及されるＰ−ＣＰＩＣＨと第１のＳ−ＣＰＩＣＨ）が、第１と第２のアンテナからそれぞれ相対的に高電力（例えば、−１０ｄＢ、−１３ｄＢ）で送信される。第１と第２の共通パイロットはレガシー受信ノードと非レガシー受信ノードの両方により理解される。これらはレガシー受信ノードに知られているのであるから、それらはレガシー共通パイロットとしても言及される。
【００５５】
第３と第４の共通パイロット（例えば、第２、第３のセカンダリ共通パイロットとしても言及される第２と第３のＳ−ＣＰＩＣＨ）は相対的に低電力（例えば、−２２ｄＢ）で第３と第４のアンテナから送信されると良い。これら低電力の共通パイロットは非レガシー受信ノードにより理解されるがレガシー受信ノードにより理解されない。それ故、そのような信号は非レガシー共通パイロットとしても言及される。
【００５６】
一般に、送信ノード５１０は、１つ以上のレガシー共通パイロットと１つ以上の非レガシー共通パイロットとを含む複数の共通パイロットを送信する。各レガシー共通パイロットは各非レガシー共通パイロットよりも高い電力で送信される。各レガシー共通パイロットはレガシー受信ノードと非レガシー受信ノードの両方に知られる。しかしながら、各非レガシー共通パイロットは非レガシー受信ノードに知られるが、レガシー受信ノードには知られない。
【００５７】
先に示唆したように、第３と第４の（非レガシー）共通パイロットは、これらの信号がレガシー受信ノードには有用なものではないために、相対的に低電力で送信される。全くのところ、それらは干渉物として作用するかもしれないのである。従って、レガシー端末が送信ノード５１０からデータを受信することがスケジュールされるとき、非レガシー共通パイロットの干渉効果は低電力により最小化される。
【００５８】
しかしながら、図１〜図２に関して説明したように、非レガシー端末がデータを受信するようにスケジュールされるとき、その非レガシー端末が高速データ速度と高いランクとの内の少なくともいずれかで受信することがスケジュールされたときのような一定の環境では、非レガシー共通パイロットが低電力であることは実際には不利益になりうる。
【００５９】
しかしながら、開示される主題のある側面からすれば、この問題は復調パイロットを通じて扱われる。図５に例証されるように、送信ノード５１０は、受信ノード５２０のジオメトリが相対的に高い場合、データ復調のために復調パイロットを提供する。共通パイロットに、復調パイロットが加えられる。これに対して、そのジオメトリが相対的に低いものであれば、送信ノード５１０は共通パイロットのみを提供する。
【００６０】
任意の数の復調パイロットがありえる。しかしながら、少なくとも、非レガシー共通パイロットがあるのと同数の復調パイロットがあることが好ましい。また、非レガシー共通パイロットを送信するのに用いられるのと同じアンテナから復調パイロットが送信されるのが好ましい。
【００６１】
１つの理由づけは次の通りである。１つの側面からすれば、データ復調のために送信ノード５１０により送信された共通パイロットは、送信ノード５１０がチャネルサウンディングの目的で送信するのと同じ共通パイロットである。即ち、送信ノード５１０は無線端末５２０により用いられる共通パイロットを送信して、送信ノード５１０と無線端末５２０との間のチャネルのＣＳＩを推定する。共通パイロットのいくつか（即ち、１つ以上）が低電力で送信され、いくつかは高電力で送信される。ある意味において、より電力の高い共通パイロットはレガシー端末のパイロットに対応し（例えば、第１と第２の共通パイロットは非レガシーＵＥとレガシーＵＥの両方に知られており）、より電力の低い共通パイロットは新しい端末のパイロットに対応し（例えば、第３と第４の共通パイロットは非レガシーＵＥに知られているが、レガシーＵＥには知られていない）。
【００６２】
上述した検討からレガシーＵＥが高電力の第３と第４のパイロットから良くない影響を受けることを思い出して頂きたい。また、そこから相対的にダーティな環境（低いジオメトリでは）において、高電力の第３と第４のパイロットを通じて非レガシーＵＥにより得られる性能改善はせいぜい最小のものであることも思い出して頂きたい。例えば、図１と図２とにおいて、ジオメトリが０ｄＢであるなら、第３と第４のパイロット電力が−２５ｄＢから−１３ｄＢに増加した場合に、４Ｔｘ  ＵＥの性能において顕著な改善はない。従って、低いジオメトリでは非レガシーＵＥからの改善した性能というメリットはレガシーＵＥに悪い影響を与えるコストに値するものではないであろう。このことは、付加的なパイロット電力が消費されるべきではないこと、即ち、ＵＥが雑音の多い環境にある場合には、第３と第４のパイロット電力は低いレベルに留まるべきであることを示唆している。
【００６３】
これに対して、もしＵＥの環境が（高いジオメトリで）相対的にクリーンにあるなら、データ復調のために高電力の第３と第４のパイロットを通じて非レガシーＵＥからの性能利得はレガシーＵＥに対する良くない影響よりも価値の高いものであるかもしれない。それ故に、非レガシーＵＥがクリーンな環境にある場合、第３と第４のパイロット電力は増加されるべきである。
【００６４】
１つの側面からすれば、このことは低電力で非レガシー用の共通パイロットを送信するために用いられるのと同じアンテナで復調パイロットを送信することにより達成される。例えば、第３と第４の共通パイロットを送信するのに用いられる第３と第４のアンテナで第１と第２の復調パイロットをそれぞれ送信することにより、これらのアンテナのパイロット電力は効果的に増加される。好ましくは、各復調パイロットの電力は、非レガシー共通パイロットとの組み合わせで、そのアンテナの結果的に得られるパイロット電力が十分に高く、無線端末５２０がデータ復調のために正確なチャネル推定を行うことが可能になり、これにより性能が改善するようなものであると良い。これを別の方法で述べると、結果的に得られるパイロット電力はパイロット電力閾値以上であるべきである。
【００６５】
パイロット電力閾値は固定的でも良いし、或いは、環境が命ずるように変化しても良い。例えば、図１と図２とに関して、ジオメトリが２０ｄＢであるなら、第３と第４のパイロット電力を−２５ｄＢから−１３ｄＢに増加させることにより、顕著に高いスループットが得られる。従って、１実施例では、パイロット電力閾値は−１３ｄＢに設定されると良い。別の実施例では、パイロット電力閾値はレガシー共通パイロットの１つの電力に等しいように設定されると良い。
【００６６】
マルチアンテナ送信能力のある送信ノード５１０からマルチアンテナ受信能力のある受信ノード５２０へデータを送信する場合、送信ノード５１０はいつ変調パイロットを送信するのか、そして、いつそれらを保留するのかを決定する能力を備えるべきであると結論できる。
【００６７】
図６はそのような有利な決定を行うように構成されたマルチアンテナ送信能力のある送信ノード５１０の実施例を図示している。送信ノード５１０の例は無線ネットワークノードである。送信ノード５１０は、コントローラ６１０、コミュニケータ６２０、パイロットプロバイダ６３０、ジオメトリ決定器６４０、信号測定器６５０、フィードバック特性決定器６６０を含む幾つかのデバイスを含む。
【００６８】
コミュニケータ６２０は、無線端末のような受信ノード５２０を含む他のノード、ＲＮＣ、コアネットワークノードとの通信を行うように構成される。パイロットプロバイダ６３０は共通パイロットと復調パイロットとの内の少なくともいずれかを提供するよう構成される。ジオメトリ決定器６４０は受信ノード５２０のジオメトリを決定するよう構成される。ジオメトリ決定器は信号測定器６５０とフィードバック特性決定器６６０との内の少なくともいずれかと関係して動作し、ジオメトリを決定する。信号測定器６５０は無線端末からのアップリンク信号のような受信ノード５２０から送信される信号を測定するよう構成される。フィードバック特性決定器６６０は受信ノード５２０から提供されるフィードバック情報を受信して、その特徴を決定するよう構成される。コントローラ６１０は送信ノード５１０の全体的な動作を制御するよう構成される。送信ノード５１０のデバイスの詳細な特徴は、以下にさらに備えられる図８で図示された方法の説明に含められる。
【００６９】
図６は、送信ノード５１０とその中に含まれるデバイスの論理構成図を示している。各デバイスは物理的に他のデバイスと分離していることは必ずしも厳密には必要ではない。全てのデバイスの一部又は全ては１つの物理モジュールに組み合わせられても良い。またこれとは逆に、少なくとも１つのデバイスが物理的に別々のモジュールへと分割されても良い。
【００７０】
送信ノード５１０のデバイスは厳密にハードウェアで実装される必要はない。それらのデバイスはハードウェアとソフトウェアの何らかの組み合わせによって実装されることが想定されている。例えば、図７に例示されているように、送信ノード５１０は、１つ以上のプロセッサ７１０、１つ以上の記憶装置７２０、無線インタフェース７３０とネットワークインタフェース７４０との内の１つ又は両方を含んでいても良い。プロセッサ７１０は、プログラム命令を実行して送信ノードの１つ以上のデバイスの動作を実行するよう構成される。その命令は非一時的な記憶媒体又はファームウェア（例えば、ＲＯＭ、ＲＡＭ、フラッシュメモリ）に格納されると良い。なお、そのプログラム命令はまた、無線インタフェース７３０とネットワークインタフェース７４０との内の１つ又は両方を介して有線と無線の少なくともいずれかの一時的な媒体を通して受信されても良い。無線インタフェース７３０（例えば、トランシーバ）は１つ以上の内部又は外部アンテナ７３５を介して他の無線ネットワークノードから信号を受信し、他の無線ネットワークノードに信号を送信するように構成される。ネットワークインタフェース７４０は他の無線ネットワークノードと他のコアネットワークノードとの内の少なくともいずれかと通信を行うように内蔵・構成される。
【００７１】
図８は提案された１つ以上のアプローチに従ってマルチアンテナ送信を実行する送信ノード５１０の方法８００の例を示すフローチャートである。理解されるように、ジオメトリ決定器６４０はステップ８１０で受信ノード５２０のジオメトリＧを検出する。大きな観点で見ると、ジオメトリＧは無線端末のシグナリング環境の品質のインジケーションとして見ることができる。１つの側面からすると、ジオメトリは望まれない信号に対する所望する信号の相対レベルのインジケーションとして見ることができる。ジオメトリＧは、接続の品質を示す、ＳＮＲ、ＳＩＮＲ、ＣＩＲ、ＢＥＲ、ＦＥＲなどのようなパラメータの何らかの組み合わせによって表現される。
【００７２】
検討のため、ジオメトリがより高くなると（例えば、ＳＮＲ、ＳＩＮＲ、ＢＥＲの逆数などが高い）よりクリーンな環境を示すものと仮定する。そのようなものとして、ジオメトリは所望の信号レベルと相関し、望まれない信号のレベルとは逆相関となる。１つの例示として言うと、受信（所望の）信号電力は一般には距離とともに減衰するので、受信ノード５２０のジオメトリＧは一般には、送信ノード５１０から受信ノード５２０までの距離とは逆相関となる。例えば、セルの中心付近にいる無線端末（中心は無線ネットワークノードの位置として定義されるので）は高いジオメトリを経験するであろう。逆に、セルの周縁部付近にいる無線端末は低いジオメトリを経験するであろう。別の例示として言うと、受信ノード５２０のジオメトリは一般に、セル内又は受信ノード５２０の近くにいる他の無線ノードの数とは逆相関にある。なぜなら、これは干渉（望まれない）信号レベルを高くする傾向にあるからである。しかしながら、もちろん、そのジオメトリはより低い値がよりクリーンな環境を示すように定義することもできる。
【００７３】
ステップ８１０は多くの方法で達成される。図９は送信ノード５１０が受信ノード５２０のジオメトリＧを決定するために実行する処理の例を示すフローチャートである。ステップ９１０において、パイロットプロバイダ６３０はパイロット信号を受信ノード５２０に送信する。あるインスタンスでは、パイロット信号は複数の共通パイロット信号だけを含む。別のインスタンスでは、パイロット信号は、共通パイロット信号に加えて、１つ以上の復調パイロット信号を含むこともできる。パイロット信号の更なる詳細については、図８のステップ８６０と８７０について以下の検討で与えられる。
【００７４】
ステップ９２０において、フィードバック特性決定器６６０は受信ノード５２０からフィードバックを受信する。１実施例では、そのフィードバックはフィードバックチャネルにより受信される。フィードバックチャネルの例はＨＳ−ＤＰＣＣＨである。受信ノード５２０は、少なくとも送信ノード５１０から送信される共通パイロット信号に基づいて、フィードバックを提供する（図５のＭ２、Ｍ５、Ｍ８を参照）。同様に、そのフィードバックは復調パイロット信号に基づいていても良い（図５のＭ５、Ｍ８を参照）。そのフィードバックは送信ノード５１０と受信ノード５２０との間の通信チャネルのＣＳＩを含んでいても良い。そのような情報は、とりわけ、ＳＮＲ、ＳＮＩＲ、ＣＩＲ、ＣＱＩ、ＢＥＲ、ＦＥＲ、好適なコーディングマトリクス、好適なランク、好適な符号化速度、ＰＣＩの内のいずれか１つ以上を含むと良い。そのフィードバックは受信ノード５２０のロケーションも含むことができる。
【００７５】
ステップ９３０では、ジオメトリ決定器６４０はフィードバックに基づいて受信ノード５２０のジオメトリＧを決定する。Ｇの値は、フィードバックにおける単一のパラメータ又は複数のパラメータの組み合わせに基づいて決定される。そのパラメータには重みを付けても良い。もし、そのフィードバックがロケーションを含むなら、そのロケーションをジオメトリ決定における因子としても良い。例えば、受信ノード５２０がセル中央近くにいるか又はセル周縁部近くにいるかも考慮することができる。ジオメトリＧは、単一のフィードバックに基づいて決定されても良い。しかし、他の実施例では、ジオメトリＧは受信ノード５２０からの複数のフィードバックに基づいて決定されるかもしれない。例えば、受信ノード５２０のジオメトリが高いと結論する前に、良好なＣＳＩ推定がある時間の間にわたってレポートされるべきであると良い。
【００７６】
ステップ８１０を達成する別の方法が図１０に示されている。図１０は送信ノード５１０が受信ノード５２０のジオメトリを決定するために実行する処理の別の例を示すフローチャートである。ステップ１０２０で、信号測定器６５０は受信ノード５２０により送信される信号を測定する。好ましくは、その信号は受信ノード５２０における送信強度が送信ノード５１０に知られている信号であると良い。例えば、送信ノード５１０は無線ネットワークノードであり、受信ノード５２０が無線端末であるとき、その無線ネットワークノードは無線端末から送信されるアップリンク信号を測定する。そのようなアップリンク信号の例は、無線端末が送信するパイロット信号又は基準信号である。基準信号であれば、無線ネットワークノードは無線端末がパイロット信号をどのくらいの強度で送信するのかに気づくべきである。別の例では、アップリンク信号の送信強度は、例えば、ＴＰＣコマンドを介して送信ノード５１０により指定される。
【００７７】
ステップ１０３０において、ジオメトリ決定器６４０は、その測定に基づいて受信ノード５２０のジオメトリを決定する。例えば、アップリンク信号の受信強度と送信強度とを比較することにより、無線ネットワークノードはそのジオメトリを決定することができる。ジオメトリＧは、単一の測定に基づいて決定されても良い。しかしながら、別の実施例では、そのジオメトリＧは時間をかけてなされた複数の測定に基づいて決定されても良い。
【００７８】
なお、図９と図１０とは互いに対して排他的なものではない。言い換えると、送信ノード５１０は、図９にあるようにフィードバックのみ（単一のフィードバック又は時間をかけた複数のフィードバック）に基づいて、測定のみ（単一の測定又は時間をかけた複数の測定）に基づいて、又は、それらの組み合わせに基づいて、受信ノード５２０のジオメトリＧを決定しても良い（ステップ８１０を実行）。これらは必ずしも、ジオメトリＧを決定する唯一の方法である必要はない。受信ノード５２０のシグナリング環境の品質を決定するための別の方法が適しているかもしれない。
【００７９】
図８に戻って説明を続けると、受信ノード５２０のジオメトリＧを決定する前に、ジオメトリ決定器６４０はステップ８２０において、受信ノード５２０のジオメトリＧがジオメトリ閾値Ｇ＿ｔ以上であるかどうかを判断する。もし、そのジオメトリがジオメトリ閾値未満であれば（即ち、Ｇ＜Ｇ＿ｔ）、受信ノード５２０は相対的にダーティな環境にいると推定される。逆に、そのジオメトリがジオメトリ閾値以上であれば（即ち、Ｇ≧Ｇ＿ｔ）、受信ノード５２０は相対的にクリーンな環境にいると推定される。なお、そのジオメトリ閾値Ｇ＿ｔは固定的でも良いし、構成設定されても良い。例えば、その閾値Ｇ＿ｔはレガシーＵＥの数が増加／減少するにつれて、上げたり／下げたりすることができる。別の例では、その閾値Ｇ＿ｔはサービス品質（ＱｏＳ）の要求が増える／減少するにつれて、上げたり／下げたりすることができる。
【００８０】
受信ノードの環境がダーティであるかクリーンであるかに係らず、コミュニケータ６２０は構成設定メッセージをステップ８３０又は８４０で受信ノード５２０に送信することができる。その構成設定メッセージは制御チャネルにより送信される。その制御チャネルはＨＳ−ＳＣＣＨのようなダウンリンク制御チャネルであると良い。その構成設定メッセージは、ランク、変調、トランスポートブロックサイズ、ＰＣＩなどのパラメータを含むと良い。
【００８１】
構成設定メッセージを送信する機構が類似（例えば、制御チャネルにより送信される構成設定メッセージ）していたとしても、その構成設定メッセージ自身は、受信ノードの環境に依存して異なるかもしれない。ステップ８２０において、ジオメトリ決定器６４０が受信ノード５２０は相対的にダーティな環境にある（例えば、Ｇ＜Ｇ＿ｔ）と判断するなら、ステップ８３０で送信される構成設定メッセージは、受信ノード５２０にデータ変調のために共通パイロット信号だけを監視するよう通知するために働く。これに対して、ステップ８２０において、ジオメトリ決定器６４０が受信ノード５２０は相対的にクリーンな環境にある（例えば、Ｇ≧Ｇ＿ｔ）と判断するなら、ステップ８４０で送信される構成設定メッセージは、受信ノード５２０に共通パイロット信号に加えて変調パイロット信号を監視するよう通知するために働く。
【００８２】
その通知は明示的なものであるかもしれない。例えば、構成設定メッセージは、それが設定された場合、送信ノード５１０が共通パイロット信号のみを送信することを示す第１のフラグと、それが設定された場合、送信ノード５１０が共通パイロット信号と復調パイロット信号の両方を送信することを示す第２のフラグとを含む。また、その通知は暗示的なものであるかもしれない。例えば、構成設定メッセージに含まれるランクと変調のようなパラメータに基づいて、受信ノード５２０は共通パイロット信号のみを監視するか、又は、共通パイロット信号と変調パイロット信号の両方を監視するようにしても良い。別の例では、送信ノード５１０は常に、共通パイロット信号を送信し、その構成設定メッセージが送信ノード５１０が復調パイロット信号を送信するかどうかを示す復調フラグを含むと良い。この事例では、復調フラグ（設定又はリセット）の状態が、受信ノード５２０に共通パイロット信号に加えて復調パイロット信号を監視すべきかどうかを示す。
【００８３】
ステップ８３０又は８４０において構成設定メッセージを送信後に、コミュニケータ６２０はステップ８５０において受信ノード５２０にデータを送信する。そのデータは、受信ノード５２０に対してスケジュールされたデータ送信時間の間に送信されると良い。
【００８４】
パイロットプロバイダ６３０はステップ８６０で複数の共通パイロット信号を送信する。１実施例では、各共通パイロット信号は送信ノード５１０の１つのアンテナ７３５から送信される。好ましくは、２つ以上の共通パイロット信号を送信するのにアンテナが用いられないのが良い。複数の共通パイロット信号は１つ以上のレガシー共通パイロット信号と１つ以上の非レガシー共通パイロット信号とを含む。この文脈では、レガシー共通パイロット信号はレガシー受信ノードと非レガシー受信ノードの両方に知られた共通パイロット信号として見ることができる。非レガシー共通パイロット信号は、非レガシー受信ノードには知られているがレガシー受信ノードには知られていない共通パイロット信号として見ることができる。１実施例では、パイロットプロバイダ６３０は、非レガシー共通パイロット信号それぞれよりも高い電力でレガシー共通パイロット信号それぞれを送信する。
【００８５】
なお、ステップ８５０（データ送信）がステップ８６０（共通パイロット信号の送信）を開始する前に完了することは必ずしも必要ではない。即ち、ステップ８５０と８６０とは同時に実行されても良い。例えば、ステップ８６０はステップ８５０の実行中に開始しても良い。あるいは、ステップ８５０はステップ８６０の実行中に開始しても良い。またさらに、両者が同時に開始されても良い。
【００８６】
もし、ステップ８２０において、ジオメトリ決定器６４０が受信ノードの環境が相対的にクリーンであると判断するなら、ステップ８６０において共通パイロット信号を送信するのに加えて、パイロットプロバイダ６３０はステップ８７０において１つ以上の復調パイロット信号を送信する。好ましくは、各復調パイロット信号が１つのアンテナ７３５を用いて送信され、２つ以上の変調パイロット信号を送信するのにいずれのアンテナも用いられないことが良い。復調パイロット信号は受信ノード５２０に対して具体的にプレコーディングされると良い。しかしながら、これは要求ではない。即ち、復調パイロット信号はセル全体に利用可能とされ、特定の受信ノード５２０に対して具体的にプリコーディングされるのではない。
【００８７】
好ましくは、各復調パイロット信号は非レガシー共通パイロット信号の１つを送信するのに用いられるのと同じアンテナから送信されるべきである。また、好ましくは、復調パイロット信号の電力は、パイロット電力閾値以上のレベルにそのアンテナのパイロット電力をもっていくのに十分であるべきである。パイロットプロバイダ６３０はデータ送信時間の間、復調パイロットを送信すると良い。注記したように、復調パイロット送信のタイミングはデータ送信時間に厳密に一致する必要はない。復調パイロットがデータ送信時間の少なくとも一部に存在することを保証することで十分であるかもしれない。
【００８８】
１つの具体的な実装例においては、４つの共通パイロット信号−プライマリ共通パイロット信号、及び、第１、第２、第３のセカンダリ共通パイロット信号がある。それから、ステップ８６０では、パイロットプロバイダ６３０は送信ノード５１０の第１のアンテナ７３５からプライマリ共通パイロット信号を送信し、第１、第２、第３のセカンダリ共通パイロット信号を、送信ノード５１０の第２、第３、第４のアンテナ７３５からそれぞれ送信する。
【００８９】
プライマリ共通パイロット信号と第１のセカンダリ共通パイロット信号とはレガシー受信ノード５２０と非レガシー受信ノード５２０に知られている（レガシー共通パイロット信号）。従って、パイロットプロバイダ６３０は、ステップ８６０において、プライマリ共通パイロット信号と第１のセカンダリ共通パイロット信号とを相対的に高い電力で送信する。例えば、プライマリ共通パイロット信号と第１のセカンダリ共通パイロット信号の内の一方又は両方はパイロット電力閾値以上の電力レベルで送信される。
【００９０】
しかしながら、第２、第３のセカンダリ共通パイロット信号は非レガシー受信ノードにのみ知られている（非レガシー共通パイロット信号）。従って、パイロットプロバイダ６３０は、ステップ８６０において、第２と第３のセカンダリ共通パイロット信号を相対的に低い電力で送信する。第２と第３のセカンダリ共通パイロット信号の内の一方又は両方はパイロット電力閾値未満の電力レベルで送信される。
【００９１】
受信ノードの環境がクリーンであると仮定すると、ステップ８７０では、パイロットプロバイダ６３０はまた、相対的に低電力で第２と第３のセカンダリ共通パイロット信号を送信するのに用いられるアンテナである第３と第４のアンテナから第１と第２の変調パイロット信号を送信すると良い。好ましくは、第１と第２の変調パイロット信号の電力は、第３と第４のアンテナから送信されるパイロット電力がパイロット電力閾値以上であるようにしたものであると良い。
【００９２】
なお、無線ネットワークノードに対応するセルにおいて、その無線ネットワークノードによりサービスを受けている無線端末の数は任意である。このシナリオでは、無線端末にスケジュールされる資源が時間で異なるなら（即ち、複数の端末へのサービスは時間多重化される）、方法８００は各無線端末に対して個別的に実行される。
【００９３】
しかしながら、２つ以上の端末にスケジュールされる資源は時間ではなく、符号と周波数との内の少なくともいずれかで異なるかもしれない。即ち、複数の端末は同時にスケジュールされることがあるかもしれない。別のシナリオでは、複数の端末にスケジュールされた資源は時間で分離されるかもしれない。しかしながら、スケジュールするブロックの細かさは、もし複数の端末に対する送信資源がそのスケジュールするブロック内でスケジュールされるなら、複数の端末は“同時に”スケジュールされると考えても良いように、ある時間区間（例えば、複数のＴＴＩ）に及ぶ。
【００９４】
図１１は複数の受信ノード５２０に対するマルチアンテナ送信を実行するための送信ノード５１０の方法１１００の例を示すフローチャートである。理解されるように、ジオメトリ決定器６４０は、ステップ１１１０において、複数の受信ノード５２０の夫々に対するジオメトリＧ（ｉ）を決定する。１実施例では、ジオメトリ決定器６４０は各受信ノード５２０に対して、図９と図１０で例示した処理の１つ又は両方を実行する。同じ処理が全ての受信ノード５２０に対して用いられる必要はない。例えば、１つの受信ノード５２０に対するジオメトリがフィードバックを通じて決定され、別のノードに対するジオメトリが測定を通じて決定され、さらに別のノードに対するジオメトリがそれらの組み合わせによって決定されても良い。
【００９５】
ジオメトリＧ（ｉ）に基づいて、ジオメトリ決定器６４０は、ステップ１１２０において、データ復調のために復調パイロット信号を送信することを保証するために予期されるトレードオフが十分であるかどうかを判断する。このトレードオフが判断される数多くの方法がある。次のものはその方法のごく一部である。即ち、
・Ｇ＿ｔ以上のジオメトリの数が所定の数より多いこと、
・Ｇ＿ｔ以上のジオメトリの数がＧ＿ｔ未満のジオメトリの数より多いこと、
・Ｇ＿ｔ以上のジオメトリの数とＧ＿ｔ未満のジオメトリの数の比が
所定の比より大きいこと、そして、
・性能改善期待値が予期されるマイナスの影響よりも大きい
ことなどである。
【００９６】
ジオメトリ決定器６４０がトレードオフが価値のあるものであるかどうかを判断するかどうかに係りなく、コミュニケータ６２０は、ステップ１１３０又は１１４０において、制御チャネルにより受信ノード５２０に構成設定メッセージを送信する。その構成設定メッセージは、ステップ８３０又は８４０におけるのを同様のパラメータ（ランク、変調、トランスポートブロックサイズ、ＰＣＩなど）を含む。しかしながら、もしジオメトリ決定器６４０がステップ１１２０においてそのトレードオフが価値のないものと判断するなら、ステップ１１３０で送信される構成設定メッセージは受信ノード５２０に、共通パイロット信号だけが監視される必要があることを通知する。これとは逆に、もしジオメトリ決定器６４０がステップ１１２０においてそのトレードオフが価値のあるものと判断するなら、ステップ１１４０で送信される構成設定メッセージは受信ノード５２０に、復調パイロット信号も同様に監視されるべきであることを通知する。再び、その通知は明示的であっても良いし、暗示的であっても良い。
【００９７】
構成設定メッセージは個別的に作成されても良い。例えば、ステップ１１３０（又は１１４０）を達成するために、コミュニケータ６２０は各受信ノード５２０に対してステップ８３０（又は８４０）を実行する。あるいはその代わりに、構成設定メッセージは共通であっても良い。例えば、ステップ１１３０（又は１１４０）を達成するために、コミュニケータ６２０は各受信ノード５２０により理解可能な共通コードでその構成設定メッセージをプリコーディングしても良い。あるいはその代わりに、その構成設定メッセージはセルに対して利用可能としても良い。
【００９８】
１つ以上の構成設定メッセージを送信後、コミュニケータ６２０はステップ１１５０で各データ送信時間に受信ノード５２０にデータを送信すると良い。また、パイロットプロバイダ６３０はステップ１１６０で複数の共通パイロット信号を送信すると良い。もし、ジオメトリ決定器６４０がステップ１１２０でトレードオフが価値のあるものであると判断するなら、ステップ１１７０でパイロットプロバイダ６３０は、共通パイロット信号に加えて、１つ以上の復調パイロット信号を送信すると良い。これらのステップはステップ８５０、８６０、８７０に類似のものであり、従って、説明の簡略化の点からもさらに詳細に説明はしない。
【００９９】
開示された主題の１つ以上の側面と関係した多くの利点がある。それら利点のリストは包括的なものではないが、
・レガシー受信ノードでの非レガシー共通パイロット信号の良くない影響を最小限にすることと、
・必要ならばより大きな電力のパイロットを提供することにより非レガシー受信ノードの性能を向上させること
とを含む。
【０１００】
上述した説明は多くの具体例を含んでいるが、これらは開示される主題の範囲を限定するものとして解釈されるべきではなく、単に現在の好適な実施例のいくつかの例示を提供するためのものであると解釈されるべきである。それ故に、開示された主題は他の実施例を完全に包含しており、その範囲は従って限定されるべきものではないことが認識されよう。当業者に知られている上述した好適な実施例の構成要素に対する全ての構造的かつ機能的な均等物は、ここで参照により明確に本願に組み込まれ、これによりそれらも包含されるものであることが意図されている。さらにその上、デバイスや方法がここで説明され、又は、現在の技術により解決されるべきありとあらゆる課題を扱うことは必ずしも必要ではない。なぜなら、それはここで包含されるべきものであるからである。
【図１】
0006267688.tif 000002
【図２】
0006267688.tif 000003
【図３】
0006267688.tif 000004
【図４】
0006267688.tif 000005
【図５】
0006267688.tif 000006
【図６】
0006267688.tif 000007
【図７】
0006267688.tif 000008
【図８】
0006267688.tif 000009
【図９】
0006267688.tif 000010
【図１０】
0006267688.tif 000011
【図１１】
0006267688.tif 000012